(57)【特許請求の範囲】
【請求項１】
ＡＡＬ２シグナリングノードの間のＡＡＬ２（ＡＴＭ適合レイヤタイプ２）経路状態を同期させる方法であって、
ａ）同期要求する側としてのＡＡＬ２シグナリングノードによって、ＡＡＬ２経路を確立する前に経路状態要求メッセージをＡＡＬ２経路のピアＡＡＬ２シグナリングノードに送信するステップと、
ｂ）ピアＡＡＬ２シグナリングノードによって、要求メッセージを受信した後にその要求メッセージによって指定されたＡＡＬ２経路の状態に局所検査を実行するステップと、
ｃ）ピアＡＡＬ２シグナリングノードによって、その検査の結果に基づいて２つの側でのＡＡＬ２経路状態への一致性同期処理を制御するステップと
を備える、方法。
【請求項２】
ステップａ）内の経路状態要求メッセージが非ブロック要求メッセージである、請求項１に記載の方法。
【請求項３】
ステップｃ）において、ピアＡＡＬ２シグナリングノードがその局所ＡＡＬ２経路状態が「アイドル」であることを検出するときに、それが同期要求する側のＡＡＬ２シグナリングノードに確認する、請求項１に記載の方法。
【請求項４】
ステップｃ）において、ピアＡＡＬ２シグナリングノードが、その局所ＡＡＬ２経路状態が「遠隔ブロック」であることを検出するときに、それが「アイドル」として局所ＡＡＬ２経路状態をリセットし、同期要求する側のＡＡＬ２シグナリングノードに確認する、請求項１に記載の方法。
【請求項５】
ステップｃ）において、ピアＡＡＬ２シグナリングノードがその局所ＡＡＬ２経路状態が「局所ブロック」であることを検出するときに、それが同期要求する側のＡＡＬ２シグナリングノードに通知してＡＡＬ２経路状態をリセットする、請求項１に記載の方法。
【請求項６】
ＡＡＬ２経路を確立する前に経路状態要求メッセージをＡＡＬ２経路のピアＡＡＬ２シグナリングノードに送信するように構成された、送信手段と、
要求メッセージによって指定されたＡＡＬ２経路の状態に対してピアＡＡＬ２シグナリングノードによって行われる局所検査の結果を含むピアＡＡＬ２シグナリングノードからの応答に基づいて、本ＡＡＬ２シグナリングノードの経路状態に一致性リセットを実行するように構成された、制御手段と
を備える、ＡＡＬ２（ＡＴＭ適合レイヤタイプ２）シグナリングノード。
【請求項７】
その送信手段の経路状態要求メッセージが非ブロック要求メッセージである、請求項６に記載のＡＡＬ２シグナリングノード。
【請求項８】
その応答メッセージが非ブロック確認メッセージであるときに、その制御手段が局所ＡＡＬ２経路状態を変更なしに維持する、請求項７に記載のＡＡＬ２シグナリングノード。
【請求項９】
その応答メッセージがブロック要求メッセージであるときに、その制御手段が、そのピアＡＡＬ２シグナリングノードに関する局所ＡＡＬ２経路状態に一致性リセットを実行する、請求項６に記載のＡＡＬ２シグナリングノード。
【請求項１０】
ＡＡＬ２経路を確立する前にＡＡＬ２経路のＡＡＬ２シグナリングノードから送信された経路状態要求メッセージを受信するように構成された、受信手段と、
その要求メッセージで指定されたＡＡＬ２経路の状態に局所検査を実行し、その検査の結果に基づいて２つの側でのＡＡＬ２経路状態への一致性同期処理を制御するように構成された、制御手段と
を備える、ＡＡＬ２（ＡＴＭ適合レイヤタイプ２）シグナリングノード。
【請求項１１】
その経路状態要求メッセージが非ブロック要求メッセージである、請求項１０に記載のＡＡＬ２シグナリングノード。
【請求項１２】
局所ＡＡＬ２経路状態が「アイドル」であるときに、その制御手段がピアＡＡＬ２シグナリングノードに確認する、請求項１０に記載のＡＡＬ２シグナリングノード。
【請求項１３】
局所ＡＡＬ２経路状態が「遠隔ブロック」であるときに、その制御手段が「アイドル」として局所ＡＡＬ２経路状態をリセットし、ピアＡＡＬ２シグナリングノードに確認する、請求項１０に記載のＡＡＬ２シグナリングノード。
【請求項１４】
その局所ＡＡＬ２経路状態が「局所ブロック」であることを検出するときに、その制御手段がピアＡＡＬ２シグナリングノードに通知してＡＡＬ２経路状態をリセットする、請求項１０に記載のＡＡＬ２シグナリングノード。
【請求項１５】
ＡＡＬ２シグナリングノード内のＡＡＬ２（ＡＴＭ適合レイヤタイプ２）経路状態を同期させる方法であって、
ステップａ）、ＡＡＬ２経路を確立する前に経路状態要求メッセージをＡＡＬ２経路のピアＡＡＬ２シグナリングノードに送信するステップと、
ステップｂ）、要求メッセージによって指定されたＡＡＬ２経路の状態に対してピアＡＡＬ２シグナリングノードによって行われる局所検査の結果を含むピアＡＡＬ２シグナリングノードからの応答に基づいて本ＡＡＬ２シグナリングノードの経路状態に一致性リセットを実行するステップと
を備える、方法。
【請求項１６】
ＡＡＬ２シグナリングノード内でＡＡＬ２（ＡＴＭ適合レイヤタイプ２）経路状態を同期させる方法であって、
ａ２）、ＡＡＬ２経路を確立する前にＡＡＬ２経路のＡＡＬ２シグナリングノードから送信される経路状態要求メッセージを受信するステップと、
ｂ２）、その要求メッセージに基づいて、指定されたＡＡＬ２経路状態に局所検査を実行し、検査の結果に基づいて、２つの側でのＡＡＬ２経路状態への一致性同期処理を制御するステップと
を備える、方法。
【発明の詳細な説明】
【技術分野】
【０００１】
本発明は、通信技術の分野に関し、特に、ＡＡＬ２シグナリングノード間でＡＡＬ２経路状態を同期させる方法および装置に関する。
【背景技術】
【０００２】
ＩＴＵ−Ｔ（国際通信連合電気通信標準）およびＡＴＭ（非同期転送モード）会議によって提案されたＡＡＬ２（ＡＴＭ  ａｄａｐｔａｔｉｏｎ  ｌａｙｅｒ  ｔｙｐｅ  ２、ＡＴＭ適合レイヤタイプ２）プロトコルは、低ビットレートをもつ、時間遅延を感知できる、アプリケーションサービスを実際に支えることができ、ネットワーク資源の利用効率を改善するために、ＡＴＭ接続を介する複数経路の音声およびデータパケットを多重化することができる。
【０００３】
ＩＴＵ−Ｔ  Ｑ．２６３０．１（２）ＡＡＬ  Ｔｙｐｅ２シグナリングプロトコル−機能セット１（２）は、ＡＡＬ２シグナリングプロトコルにおける最も重要なプロトコルである。それは主に、複数のＡＡＬ２リンクを介してＡＡＬ２接続を確立または解放する、ＡＡＬ２資源を割り当てるまたは解放する、ならびに、チャネルおよび経路を維持および制御するためなどに機能する。このシグナリングプロトコルは、広帯域ネットワークにおけるＡＴＭ交換機および第３世代モバイル通信ネットワークにおけるモバイル交換機の間で広く適用される。
【０００４】
図１は、ＡＬＬ２経路をうまく確立および解放する基本的なフローである。図解を目的として、中間ＡＡＬ２交換ノードが概略的に示される。その確立の開始側として、交換機Ａは、宛先アドレスおよびルーティング設定にしたがって、経路およびチャネルを含む、適切なチャネル資源ＣＥＩＤ（ＡＡＬ２接続要素の識別子）を選択し、ＥＲＱ（接続要求）メッセージを隣接ノード交換機Ｂに送信する。隣接ノード交換機Ｂは、ＥＲＱメッセージを受信した後、ＣＥＩＤの有効性および他のアクセス条件が満たされているかどうかを検査する。応答が正しい場合、それは確立状態に入り、ＥＣＦ（確立確認）メッセージを交換機Ａに送信する。交換機Ａはまた、確立確認メッセージＥＣＦを受信したときに、確立状態に入る。解放開始側としての交換機Ａが解放を実行するとき、それはＲＥＬ（解放）メッセージを隣接ノード交換機Ｂに送信する。交換機Ｂは、ＲＥＬメッセージを受信し、それ自体の側にプロトコル実体を見つけ、解放動作を実行し、その後にＲＬＣ（解放完了）メッセージを開始側に送信する。
【０００５】
しかし、実際のアプリケーションでは、交換機Ａ、ＢでのＡＡＬ２経路状態が矛盾しているというように、交換機でのソフトウェア障害などの理由がＡＡＬ２経路が片側で実際に解放されないという結果をもたらすことがあり、その経路を介する初期コール障害につながりうる。
【０００６】
ＡＡＬ２コール障害フローの説明が図２を参照して行われる。交換機Ｂ側でＡＡＬ２経路が確立されてあり、その経路状態は局所ブロックである。この時点で、ＡＡＬ２経路のもう１つの対応する側が交換機Ａで確立される。既存のＩＴＵ−Ｔ  Ｑ．２６３０．１標準は新しく確立されたＡＡＬ２経路の２つの側の状態を同期させるための関連規約を提供しないため、新しく確立されたＡＡＬ２経路の状態は交換機Ａにおいてアイドルである。
【０００７】
新しく確立されたＡＡＬ２経路の状態は交換機Ａにおいてアイドルであるため、交換機Ａは、資源を割り当てて新しいＡＡＬ２コールを確立するために、このＡＡＬ２経路を使用しうる。即ち、交換機Ａは、ＥＲＱ（確立要求）メッセージを交換機Ｂに送信して、このＡＡＬ２経路資源を割り当てようと試みる。しかし、交換機ＢでのＡＡＬ２経路の実際の状態は局所ブロックであるため、交換機ＢはこのＥＲＱ（確立要求）メッセージを拒否することになり、それによってこの時点でコール障害を引き起こす。
【０００８】
ＩＴＵ−Ｔ  Ｑ．２６３０．１の８．２．１．１．２．２項の関連規約により、交換機Ｂについて、ＡＡＬ２経路の状態が、入力側としての、局所ブロックである場合、それは、テストコールよりも新しいコールを確立する他の要求を受信したときに、ブロックフローを開始する必要があり、コールを起動させる交換機ＡにＢＬＯ（ブロック要求）メッセージを送信する。交換機Ａは、交換機ＢにＢＬＣ（ブロック確認）を送信する。今までのところ、初期コール障害の後、新しく確立されたＡＡＬ２経路の２つの側の状態は一致であることになる。即ち、交換機ＢでのＡＡＬ２経路の状態は「局所ブロック」であり、交換機ＡでのＡＡＬ２経路の状態は「遠隔ブロック」である。その後、ＡＡＬ２経路の２つの側の状態は同期されることができる。
【０００９】
もちろん、いくつかの交換機は、ＩＴＵ−Ｔ  Ｑ．２６３０．１には定められていないがさまざまな製造業者の交換機によって独立して実装される、再コール試行機構を実装することができる。
【発明の概要】
【発明が解決しようとする課題】
【００１０】
本発明は、前述の技術的問題の１つまたは複数を解決することを目的とし、新しく確立されたＡＡＬ２経路の２つの側での状態を同期させる技術的解決法を提供する。
【課題を解決するための手段】
【００１１】
本発明の一態様によれば、以下を備える、ＡＡＬ２シグナリングノードの間のＡＡＬ２経路状態を同期させる方法が提供される：ソースＡＡＬ２シグナリングノードによって、経路状態要求メッセージを目標ＡＡＬ２シグナリングノードに送信することと、目標ＡＡＬ２シグナリングノードが、その要求メッセージを受信した後、その要求メッセージによって指定されたＡＡＬ２経路の状態に局所検査を実行し、検査の結果に基づいて２つの側でＡＡＬ２経路の状態への一致性同期処理を制御すること。
【００１２】
本発明のもう１つの態様によれば、ＡＡＬ２シグナリングノードが提供される。そのＡＡＬ２シグナリングノードは、経路状態同期要求側として、以下を備える：ピアＡＡＬ２シグナリングノードに経路状態要求メッセージを送信するための送信手段と、ピアＡＡＬ２シグナリングノードからの応答メッセージに基づいて現在のＡＡＬ２シグナリングノードの経路状態に一致性リセットを実行するための制御手段。
【００１３】
本発明のさらなる態様によれば、ＡＡＬ２シグナリングノードが提供される。そのＡＡＬ２シグナリングノードは、経路状態同期要求される側として、以下を備える：ピアＡＡＬ２シグナリングノードから送信された経路状態要求メッセージを受信するための受信手段と、その要求メッセージで指定されたＡＡＬ２経路の状態の局所検査を実行し、検査の結果に基づいて２つの側でのＡＡＬ２経路状態の一致性同期処理を制御するための制御手段。
【００１４】
本発明のまたさらなる態様によれば、ＡＡＬ２シグナリングノード内でＡＡＬ２経路状態を同期させる方法が提供される。ＡＡＬ２シグナリングノードは、経路状態同期要求する側として、経路状態要求メッセージを宛先ＡＡＬ２シグナリングノードに送信し、宛先ＡＡＬ２シグナリングノードからの応答メッセージに基づいて現在のＡＡＬ２シグナリングノードの経路状態に一致性リセットを実行することができる。
【００１５】
本発明のまたさらなる態様によれば、ＡＡＬ２シグナリングノード内でＡＡＬ２経路状態を同期させる方法が提供される。ＡＡＬ２シグナリングノードは、経路要求同期要求される側として、経路状態要求メッセージをＡＡＬ２シグナリングノードから受信し、その要求メッセージに基づいて指定されたＡＡＬ２経路の状態に局所検査を実行し、検査の結果に基づいて２つの側でのＡＡＬ２経路状態への一致性同期処理を制御する。
【００１６】
本発明は、以下の技術的利点をもつ。
【００１７】
ＡＡＬ２経路の２つの側での矛盾状態による初期コール障害を回避することができるように、２つの側でのＡＡＬ２経路の状態が、ＡＡＬ２経路を確立する前に同期させられる。
【００１８】
本発明はさらに、それが交換機資源を節約し、交換機がより安定した、信頼できる、そして正確な状態機械を確立するのを助け、ＡＡＬ２経路を確立する成功率を改善することができるように、２次コールを回避することができる。
【００１９】
本発明の機能、特性および利点が、同様の要素が同じ識別子をもつ添付の図面を参照して、以下の詳細な説明から明らかとなろう。
【図面の簡単な説明】
【００２０】
【図１】ＡＡＬ２コールをうまく確立する標準的なフローの図である。
【図２】ＡＡＬ２経路状態の矛盾のため、コールをうまく確立することができない標準的なフローの図である。
【図３】ＡＡＬ２シグナリング完了参照構造の標準的な事例の図である。
【図４】本発明によるＡＡＬ２経路状態同期フローの実施形態１の図である。
【図５】本発明によるＡＡＬ２経路状態同期フローの実施形態２の図である。
【図６】本発明によるＡＡＬ２経路状態同期フローの実施形態３の図である。
【発明を実施するための形態】
【００２１】
以下では、本発明の好ましい実施形態が、添付の図面を参照して、詳細に説明される。
【００２２】
ＡＡＬ２サービスエンドポイントとして、ＡＡＬ２交換機Ａ、ＢはそれぞれＡＡＬ２シグナリングユーザ、ＡＡＬ２シグナリング実体、およびシグナリング転送レイヤを備える、本発明によるＡＬＬ２シグナリング完了参照構造の例が図３に示され、そこでは：
ＡＡＬ２シグナリングユーザは、そこにＡＡＬ２シグナリング実体が対応するサービスを提供するＡＡＬ２ベースの上位レイヤシグナリング実体である。ＡＡＬ２シグナリング実体によって上位レイヤユーザシグナリング実体に提供されるサービスは主に、以下を備える：ＡＡＬ２リンクを確立すること、およびＡＡＬ２リンクを解放すること。
【００２３】
ＡＡＬ２シグナリング実体は、ＡＡＬ２シグナリング制御手段およびＡＡＬ２シグナリング送受信手段を備えることができ、そのＡＡＬ２シグナリング制御手段は主に、たとえば、ＡＬＬ２シグナリングメッセージおよびパラメータを生成し、アセンブルし、分析する、帯域幅、ＣＩＤなどの資源を割り当て、管理する、コール承認を制御する、ルートを選択する、および、ＡＡＬ２経路接続を確立し、解放するなどする、交換機内のＡＬＬ２接続に関するコール手続きを処理する。標準的なＡＡＬ２経路は、すべてのＡＴＭベースの負荷情報を支えるための、２つのＡＡＬ２シグナリングノード間のＶＣＣ（仮想チャネル接続）でもよい。ＡＡＬ２シグナリング送受信手段は、たとえば出力送信プロトコルプロセス、入力受信プロトコルプロセス、および保守プロトコルプロセスなどの複数のプロトコルプロセスによって実装されうる、ＡＡＬ２シグナリングメッセージ出力送信、入力受信、および経路状態保守を実行し、前述のプロセスは、コールプロセス中に動的に作成および削除されることができる。ＡＡＬ２経路状態は、たとえば、出力／入力解放保留、出力／入力修正保留などの複数の方式を介して交換機内部で識別されることができ、一方で経路の２つの側での実際の状態の観点から、それらは「アイドル」、「局所ブロック」、および「遠隔ブロック」として定義されることができる。
【００２４】
シグナリング転送レイヤは、たとえば、セル多重化／逆多重化、セルヘッダの生成および削除、セルのトラフィック管理、およびセルレート適合など、上位レイヤＡＡＬ２プロトコル実体レイヤへの固定長のＡＴＭサービスデータユニット伝送の機能を提供し、ＡＴＭ物理レイヤ機能を介して特定の物理媒体を介してＡＴＭセルを伝送する、ＡＴＭ伝送モードを採用することができる。
【００２５】
本発明の実施形態を参照して、ＡＡＬ２経路を確立する前に、ＡＡＬ２交換機ＡのＡＡＬ２シグナリング制御手段は先ず、ＡＡＬ２経路状態同期要求を実行する。具体的には、それは、経路状態要求メッセージをＡＡＬ２経路のピアＡＡＬ２交換機Ａに送信する。その要求メッセージは、ＣＥＩＤ（ＡＡＬ２接続ユニットの識別子）およびＯＳＡＩＤ（ソースシグナリング接続の識別子）情報を備え、ＵＢＬメッセージが向けられるＡＡＬ２経路が決定されることができる。シグナリング送信プロセス中の中間ＡＡＬ２交換ノードの、またはＡＡＬ２サービスエンドポイントとしてのＡＡＬ２交換機Ｂの、ＡＡＬ２シグナリング制御手段（以下、一様に「ＡＡＬ２シグナリングノード」と称す）は、要求メッセージを受信した後、指定されたＡＡＬ２経路の状態に局所検査を実行し、検査の結果に基づいて２つの側でのＡＡＬ２経路状態に一致性同期を実行し、たとえば、それは、それが要求側のＡＡＬ２交換機内の経路状態と一致であるように、局所ＡＡＬ２経路状態を修正する、または、それがその局所ＡＡＬ２経路状態と一致であるように、そのＡＡＬ２経路状態を修正するために、要求側のＡＡＬ２交換機に通知する。
【００２６】
以下で、前述の経路同期はさらに、図４、５、および６に示す異なるＡＡＬ２経路状態を参照して、要求側としてのＡＡＬ２交換機Ａでさらに説明される。
【００２７】
図４のＡＡＬ２経路状態同期フローの実施形態１では、ピアのＡＡＬ２経路状態が「アイドル」である場合に、ＡＡＬ２経路状態が同期させられ、経路が確立される。
【００２８】
ＡＡＬ２経路を確立する前に、確立開始側としてのＡＡＬ２交換機Ａのシグナリング実体がＵＢＬ（非ブロック要求）メッセージをピアＡＡＬ２シグナリングノード、即ち交換機Ｂ、に送信し、その間に、タイマＴｉｍｅｒ＿ＵＢＬを起動させ、経路状態が「アイドル」にセットされる。
【００２９】
ピアＡＡＬ２交換機Ｂのシグナリング実体が、ＵＢＬメッセージを受信し、そのＵＢＬメッセージ内の経路識別子に基づいて、その局所ＡＡＬ２経路状態が「アイドル」であることを検査および取得し、その後、ＵＢＣ（非ブロック確認）メッセージを開始側ＡＡＬ２交換機Ａに送信する。
【００３０】
ＡＡＬ２交換機Ａのシグナリング実体が、タイマＴｉｍｅｒ＿ＵＢＬの期間中にピアＡＡＬ２交換機Ｂのシグナリング実体から送信されたＵＢＣ（非ブロック確認）メッセージを受信する場合、次に本交換機がタイマＴｉｍｅｒ＿ＵＢＬを停止し、経路状態はまだ「アイドル」を維持する。交換機Ａのシグナリング実体が、タイマＴｉｍｅｒ＿ＵＢＬの期間中にピアＡＡＬ２交換機のシグナリング実体から送信されるＵＢＣ（非ブロック確認）メッセージを受信しない場合、それはさらにＵＢＬ（非ブロック要求）メッセージをピアＡＡＬ２交換機Ｂに送信することができる。
【００３１】
この時点で、指定されたＡＡＬ２経路の２つの側での状態は、「アイドル」に同期させられる。
【００３２】
図５のＡＡＬ２経路状態同期フローの実施形態２では、ピアＡＡＬ２経路状態が「遠隔ブロック」である場合に、ＡＡＬ２経路状態が同期させられ、経路が確立される。
【００３３】
ＡＡＬ２経路を確立する前に、確立開始側としてのＡＡＬ２交換機Ａのシグナリング実体が、ＵＢＬ（非ブロック要求）メッセージをピアＡＡＬ２シグナリングノード、即ち交換機Ｂ、に送信し、その間に、タイマＴｉｍｅｒ＿ＵＢＬを起動させ、経路状態が「アイドル」にセットされる。
【００３４】
ピアＡＡＬ２交換機Ｂのシグナリング実体が、ＵＢＬメッセージを受信し、そのＵＢＬメッセージの経路識別子に基づいて、その局所ＡＡＬ２経路状態が「遠隔ブロック」であることを取得し、その後、それは「アイドル」としてのその経路状態をリセットし、さらに、ＵＢＣ（非ブロック確認）メッセージを開始側ＡＡＬ２交換機Ａのシグナリング実体に送信する。
【００３５】
ＡＡＬ２交換機Ａのシグナリング実体がタイマＴｉｍｅｒ＿ＵＢＬの期間中にピアＡＡＬ２交換機Ｂから送信されたＵＢＣ（非ブロック確認）メッセージを受信する場合、次に、本交換機はタイマＴｉｍｅｒ＿ＵＢＬを停止し、経路状態はまだ「アイドル」を維持する。ＡＡＬ２交換機ＡがタイマＴｉｍｅｒ＿ＵＢＬの期間中にピアＡＡＬ２交換機Ｂのシグナリング実体から送信されたＵＢＣ（非ブロック確認）メッセージを受信しない場合、それはさらにＵＢＬ（非ブロック要求）メッセージをピアＡＡＬ２交換機Ｂに送信することができる。
【００３６】
この時点で、指定されたＡＡＬ２経路の２つの側での状態は「アイドル」に同期させられる。
【００３７】
図６のＡＡＬ２経路状態同期フローの実施形態３では、ピアＡＡＬ２経路状態が「局所ブロック」である場合に、ＡＡＬ２経路状態が同期させられ、経路が確立される。
【００３８】
ＡＡＬ２経路を確立する前に、確立開始側としてのＡＡＬ２交換機Ａのシグナリング実体がＵＢＬ（非ブロック要求）メッセージをピアＡＡＬ２シグナリングノード、即ち交換機Ｂ、に送信し、その間に、タイマＴｉｍｅｒ＿ＵＢＬを起動させ、経路状態が「アイドル」にセットされる。
【００３９】
ピアＡＡＬ２交換機Ｂのシグナリング実体は、ＡＡＬ２経路のＵＢＬメッセージを受信し、そのＵＢＬメッセージ内の経路識別子に基づいて、その局所ＡＡＬ２経路状態が「局所ブロック」であることを検査し、取得し、そのＵＢＬメッセージを無視する。ＩＴＵ−Ｔ  Ｑ．２６３０．１の８．２．１．２．２．１ｂ項内の規約を参照して、それはブロックプロセスを開始し、ＢＬＯ（ブロック要求）メッセージをピアＡＡＬ２交換機Ａに送信することになる。
【００４０】
ピアＡＡＬ２交換機Ｂから送信されるＢＬＯ（ブロック要求）メッセージを受信するとき、開始側ＡＡＬ２交換機Ａのシグナリング実体は、タイマＴｉｍｅｒ＿ＵＢＬを停止し、経路状態は「遠隔ブロック」としてセットされ、その経路は非テストタイプの新しいコールを受信しないことになる。その後、ＡＡＬ２交換機Ａのシグナリング実体はさらに、ＢＬＣ（ブロック確認）メッセージをＡＡＬ２交換機Ｂに送信することができる。
【００４１】
それまで、指定されたＡＡＬ２経路の２つの側での状態は、「局所ブロック」および「遠隔ブロック」として同期させられる。
【００４２】
いくつかの実施形態が本発明を説明するために前記で提供されたが、それらは本発明の保護範囲を制限するために使用されない。当業者は、本発明の範囲および趣旨を逸脱することなしにこれらの実施形態にさまざまな修正を行うことができる。すべてのかかる修正は、本発明の範囲内にある。
【図１】
0005501456.tif 000002
【図２】
0005501456.tif 000003
【図３】
0005501456.tif 000004
【図４】
0005501456.tif 000005
【図５】
0005501456.tif 000006
【図６】
0005501456.tif 000007